(57)【特許請求の範囲】
【請求項１】
処理槽上に所定の間隔をあけて掛け渡した桁材の対向する側面に、断面Ｃ形に形成したガイドレールを、該ガイドレールの溝を下方に向けて配設するとともに、前記ガイドレール内に移動自在に車輪を配設し、該車輪に合成樹脂成形品からなる蓋パネルを吊り下げるようにして処理槽の上方を覆うようにしたことを特徴とする処理槽用覆蓋。
【請求項２】
複数のガイドレールを、蓋パネルの端部が挿入される間隔をあけて、上下に平行に配設したことを特徴とする請求項１記載の処理槽用覆蓋。
【請求項３】
ガイドレール及び車輪を合成樹脂材料で以て形成したことを特徴とする請求項１又は２記載の処理槽用覆蓋。
【発明の詳細な説明】
【０００１】
【発明の属する技術分野】
本発明は、上水道の水処理施設等に設けられる各種処理槽の上方を覆うために用いられる処理槽用覆蓋に関し、特に、必要に応じて、処理槽の上方を開放することができるようにした処理槽用覆蓋に関するものである。
【０００２】
【従来の技術】
従来、例えば、上水道の水処理施設においては、原水に凝集剤を添加して凝集・沈澱処理した後、この処理水をオゾン処理し、さらに活性炭処理及び砂濾過処理する処理方法等が採用されており、これらの処理は、それぞれ専用の処理槽において行うようにしている。
【０００３】
ところで、これらの処理を行う処理槽は、通常、上方を解放したままのものが多く用いられており、このため、大気中の塵埃が処理槽内に侵入したり、処理槽内に太陽光が直接照射されることによって藻類が大量に発生することにより、処理水の処理工程に支障が生じたり、処理水の品質が低下するという問題があった。
【０００４】
【発明が解決しようとする課題】
これらの問題に対処するため、金属製又は合成樹脂製の覆蓋により処理槽の上方を覆う試みもなされているが、従来の覆蓋は固定式であるため、処理槽の保守作業を行う場合には、その都度、覆蓋の固定具を外して行わねばならず、作業性が低下するとともに、重量のある覆蓋を除去したり、設置する作業は、作業者に大きな負担になるという問題点を有していた。
また、必要に応じて、処理槽の上方を開放することができるようにした可動式の覆蓋も提案されているが、覆蓋は劣悪な設置環境に置かれるため、可動式の覆蓋を常に円滑に移動できる良好な状態に維持するためには、頻繁に保守作業を行う必要があり、このため、維持コストがかかるという問題点を有していた。
【０００５】
本発明は、上記従来の処理槽用覆蓋の有する問題点に鑑み、頻繁に保守作業を行わなくても、可動式の覆蓋を常に円滑に移動できる良好な状態に維持することが可能な、必要に応じて、処理槽の上方を開放することができる処理槽用覆蓋を提供することを目的とする。
【０００６】
【課題を解決するための手段】
上記目的を達成するため、本発明の処理槽用覆蓋は、処理槽上に所定の間隔をあけて掛け渡した桁材の対向する側面に、断面Ｃ形に形成したガイドレールを、該ガイドレールの溝を下方に向けて配設するとともに、前記ガイドレール内に移動自在に車輪を配設し、該車輪に合成樹脂成形品からなる蓋パネルを吊り下げるようにして処理槽の上方を覆うようにしたことを特徴とする。
【０００７】
この処理槽用覆蓋は、断面Ｃ形に形成したガイドレールを、ガイドレールの溝を下方に向けて配設し、このガイドレール内に、蓋パネルを吊り下げた車輪を移動自在に配設するようにしているので、ガイドレール内に塵埃や雨水が侵入せず、覆蓋を常に円滑に移動できる良好な状態に維持することができる。
【０００８】
この場合において、複数のガイドレールを、蓋パネルの端部が挿入される間隔をあけて、上下に平行に配設することができる。
【０００９】
これにより、ガイドレールのいずれか一方側に蓋パネルを移動させて、処理槽の上方を大きく、具体的には、２本のガイドレールを上下に平行に配設した場合には、処理槽の上方の略半分を、３本のガイドレールを上下に平行に配設した場合には、処理槽の上方の略２／３を、開放することができる。
【００１０】
また、ガイドレール及び車輪を合成樹脂材料で以て形成することができる。
【００１１】
これにより、ガイドレール及び車輪の耐候性を向上することができる。
【００１２】
【発明の実施の形態】
以下、本発明の処理槽用覆蓋の実施の形態を図面に基づいて説明する。
図面は、本発明の処理槽用覆蓋の一実施例を示す。
【００１３】
この処理槽１は、上水道の水処理施設に設けられるもので、この処理槽１の隔壁上に所定の間隔、例えば、０．６〜２ｍ程度の間隔をあけてプレキャストコンクリート製又は鋼製の桁材２を平行に掛け渡し、固定するようにする。
【００１４】
各桁材２には、生物処理用充填材を垂設するためのステンレススチール製の棒状の吊具１０を配設するようにする。
【００１５】
また、各桁材２には、所定の間隔、例えば、０．５〜１ｍ程度の間隔をあけて、ステンレススチール製の帯状のレール吊具６を固定し、このレール吊具６に、ステンレススチール製のブラケット７ａ，７ｂを介して、桁材２の対向する側面の位置に、ガイドレール３ａ，３ｂを懸架する。
【００１６】
ガイドレール３ａ，３ｂは、ＦＲＰ製、アルミニウム製、ステンレススチール製等の耐摩耗性及び耐腐食性に優れた材料で以て、断面Ｃ形に形成し、その溝３１ａ，３１ｂを下方に向けて配設する。
なお、本実施例においては、桁材２の対向する側面の位置に２本のガイドレール３ａ，３ｂを上下に平行に配設したが、これに限定されず、３本又はそれ以上のガイドレールを上下に平行に配設することができ、これにより、ガイドレール３ａ，３ｂのいずれか一方側に後述の蓋パネル５ａ，５ｂを移動させて、処理槽１の上方を大きく、具体的には、２本のガイドレール３ａ，３ｂを上下に平行に配設した場合には、処理槽１の上方の略半分を、３本のガイドレールを上下に平行に配設した場合には、処理槽の上方の略２／３を、開放することができる。
【００１７】
ガイドレール３ａ，３ｂ内に、ポリアセタール樹脂（例えば、ポリプラスチックス社製のジュラコン（商品名））、ナイロン、その他の合成樹脂製等の軽量で、耐摩耗性及び耐腐食性に優れた材料で以て構成した車輪本体４１ａ，４１ｂを備えた車輪４ａ，４ｂを移動自在に配設し、この車輪４ａ，４ｂに、それぞれ、ステンレススチール製の棒状の吊具４２ａ，４２ｂを介して、合成樹脂成形品からなる蓋パネル５ａ，５ｂを吊り下げ、ガイドレール３ａに配設した蓋パネル５ａと、ガイドレール３ｂに配設した蓋パネル５ｂを、図１（ｂ）に示すように互い違いに配設するようにして処理槽１の上方を覆うようにする。
この場合、車輪４ａ，４ｂの吊具４２ａ，４２ｂにより、蓋パネル５ａ，５ｂの少なくとも４隅を直接吊り下げ、支持することにより、車輪４ａ，４ｂの吊具４２ａ，４２ｂを含む蓋パネル５ａ，５ｂの重量を軽量化することができ、蓋パネル５ａ，５ｂを移動する際の作業者の負担を軽減することができるものとなる。
また、２本のガイドレール３ａ，３ｂは、蓋パネル５ａの端部５１ａを挿入可能で、かつ、ガイドレール３ａに配設した蓋パネル５ａの下面と、ガイドレール３ｂに配設した蓋パネル５ｂの上面とが、接触しない間隔をあけて配設するようにする。
【００１８】
蓋パネル５ａ，５ｂは、特に限定されるものではないが、耐久性及び軽量化の点で、特に、ポリカーボネート製の合成樹脂成形品を以て構成することが好ましく、さらに具体的には、強度を増すために中央部に凹凸を形成するとともに、その周縁５１を平坦に形成するようにする。
この場合において、蓋パネル５ａ，５ｂは、処理槽１内に太陽光が直接照射されることによって藻類が大量に発生することを防止するとともに、管理者が処理槽１内を目視により確認することができるように、有色の透光性を有する合成樹脂を以て構成することが望ましい。
また、方形の合成樹脂成形品からなる複数の蓋パネル５ａ，５ｂの大きさ及び厚みは、処理槽用覆蓋に必要とされる強度、蓋パネル５ａ，５ｂを移動する際に作業者に大きな負担にならないこと等を考慮して任意に設定することができ、例えば、３ｍｍ厚のポリカーボネート製の合成樹脂成形品の場合、６００〜２０００ｍｍ×６００〜２０００ｍｍ程度の正方形又は長方形に形成することが望ましい。
【００１９】
このように構成した処理槽用覆蓋は、断面Ｃ形に形成したガイドレール３ａ，３ｂを、ガイドレール３ａ，３ｂの溝３１ａ，３１ｂを下方に向けて配設し、このガイドレール３ａ，３ｂ内に、蓋パネル５ａ，５ｂを吊り下げた車輪４ａ，４ｂを移動自在に配設するようにしているので、ガイドレール３ａ，３ｂ内に塵埃や雨水が侵入することがない。
【００２０】
【発明の効果】
本発明の処理槽用覆蓋によれば、作業者に大きな負担をかけずに、必要に応じて、処理槽の上方を開放して、処理槽の保守作業を容易に行うことができるとともに、断面Ｃ形に形成したガイドレールを、ガイドレールの溝を下方に向けて配設し、このガイドレール内に、蓋パネルを吊り下げた車輪を移動自在に配設するようにしているので、ガイドレール内に塵埃や雨水が侵入せず、覆蓋を常に円滑に移動できる良好な状態に維持することができ、このため、維持コストを低廉にすることができる。
【００２１】
また、複数のガイドレールを、蓋パネルの端部が挿入される間隔をあけて、上下に平行に配設することにより、ガイドレールのいずれか一方側に蓋パネルを移動させて、処理槽の上方を大きく、具体的には、２本のガイドレールを上下に平行に配設した場合には、処理槽の上方の略半分を、３本のガイドレールを上下に平行に配設した場合には、処理槽の上方の略２／３を、開放することができる。
【００２２】
また、ガイドレール及び車輪を合成樹脂材料で以て形成するにより、ガイドレール及び車輪の耐候性を向上することができる。
【図面の簡単な説明】
【図１】本発明の処理槽用覆蓋の一実施例を示し、（ａ）は平面図、（ｂ）は（ａ）のＡ−Ａ線の断面図である。
【図２】図１（ａ）のＢ−Ｂ線の断面図である。
【図３】ガイドレール部の断面図である。
【図４】車輪を示し、（ａ）は側面断面図、（ｂ）は（ａ）のＣ−Ｃ線の断面図である。
【図５】蓋パネルの斜視図である。
【符号の説明】
１    処理槽
２    桁材
３ａ  ガイドレール
３ｂ  ガイドレール
４ａ  車輪
４ｂ  車輪
５ａ  蓋パネル
５ｂ  蓋パネル
【図１】
0003739166.tif 000002
【図２】
0003739166.tif 000003
【図３】
0003739166.tif 000004
【図４】
0003739166.tif 000005
【図５】
0003739166.tif 000006